(57)【特許請求の範囲】
【請求項１】
穂先竿の前端に装着され中心軸に沿って延びる竿ホルダーと、
前記竿ホルダーの前端に設けられ、前端に向かって縮径し且つその全長にわたって前記竿ホルダーの前端の径よりも小径となるように形成された小径部と、
前記小径部の前端に設けられ、前記竿ホルダーの前端の径よりも小径で且つ前記小径部の前端の径よりも大径となるように形成されたカラーと、
を備え、
前記竿ホルダーの外周面は、前記中心軸に沿って切断した断面視において直線状であって前記中心軸に対して傾いている直線部を有し、
前記竿ホルダーの前記前端の径は、前記直線部の前端の径である、
穂先部材。
【請求項２】
前記小径部の後端の径と前端の径との差は、前記竿ホルダーの前端の径と前記カラーの径との差以上である、請求項１に記載の穂先部材。
【請求項３】
前記竿ホルダーの前端面の外周縁が面取りされている、請求項１又は請求項２に記載の穂先部材。
【請求項４】
請求項１ないし請求項３のいずれか１項に記載の穂先部材を備えた釣り竿。
【発明の詳細な説明】
【技術分野】
【０００１】
本発明は、釣り竿の穂先竿に取り付けられる穂先部材に関する。本発明は、より具体的には、釣り糸が結びつけられる穂先部材に関する。
【背景技術】
【０００２】
釣り竿の穂先竿に取り付けられる従来の穂先部材は、穂先竿に装着される竿ホルダーと、当該竿ホルダーの前端に設けられた小径部と、当該小径部の前端に設けられたカラーと、を備える。小径部は、竿ホルダー及びカラーよりも小径に形成されている。穂先部材においては、小径部に釣り糸を結びつけられる。これにより、竿ホルダーの前端面とカラーの後端面との間に釣り糸が保持される。このような従来の穂先部材は、例えば、特開平１０−０４２７４９号公報、特開２００８−２７８８４１号公報、及び特開２００８−１７８３１１号公報に開示されている。
【０００３】
従来の穂先部材におけるカラーは、釣り糸の抜け止めのために、小径部よりも大径に構成される。釣り糸は、実釣時に前方に向かって引かれることが多いので、小径部の前方にあるカラーは、なるべく大径となるように形成される。例えば、特開平１０−０４２７４９号公報及び特開２００８−２７８８４１号公報に記載及び図示されているように、カラーは、小径部の後方にある竿ホルダーよりも大径に形成されることが多い。
【先行技術文献】
【特許文献】
【０００４】
【特許文献１】特開平１０−０４２７４９号公報
【特許文献２】特開２００８−２７８８４１号公報
【特許文献３】特開２００８−１７８３１１号公報
【発明の概要】
【発明が解決しようとする課題】
【０００５】
このような従来の穂先部材を振出式の釣り竿に用いると、穂先竿を元側の竿体の内側に収容する際に、大径のカラーが当該元側の竿体の前端面や内周面に衝突してしまうという問題がある。カラーが元側の竿体の前端面や内周面に衝突すると、当該元側の竿体の前端面や内周面が傷つき、ひいては元側の竿体が破壊されてしまう。
【０００６】
本発明の目的の一つは、穂先竿を元側の竿体へ収容する際に当該元側の竿体の前端面や内周面を傷付けにくい穂先部材及び当該穂先部材を備える釣り竿を提供することである。本発明のこれら以外の目的は、本明細書全体を参照することにより明らかとなる。
【課題を解決するための手段】
【０００７】
本発明の一実施形態に係る穂先部材は、穂先竿の前端に装着される竿ホルダーと、当該竿ホルダーの前端に設けられた小径部と、当該小径部の前端に設けられたカラーと、を備える。本発明の一実施形態において、当該小径部は、前端に向かって縮径するように形成される。また、当該小径部は、その全長にわたって竿ホルダーの前端の径よりも小径となるように形成される。本発明の一実施形態において、当該カラーは、竿ホルダーの前端の径よりも小径で且つ小径部の前端の径よりも大径となるように形成される。
【０００８】
当該実施形態に係る穂先部材は、カラーの径が竿ホルダーの前端の径よりも小径となるように形成されているので、穂先竿を元側の竿体に収納するときにカラーの外周面が当該元側の竿体の前端面や内周面に衝突しにくくなる。これにより、当該元側の竿体の破損を抑制することができる。
【０００９】
本発明の一実施形態に係る穂先部材は、小径部の後端の径と前端の径との差が、竿ホルダーの前端の径とカラーの径との差以上となるように形成されている。当該実施形態に係る穂先部材においては、小径部の縮径幅が竿ホルダーの前端の径とカラーの径との差以上であるため、当該小径部の前端は、釣り糸を保持するために十分な深さを有する。これにより、カラーの径を竿ホルダーの前端の径より小さくしても、カラーの径が竿ホルダーの前端の径以上となるように構成されている従来の穂先部材と同程度に釣り糸が前方へ抜けづらくなっている。
【００１０】
本発明の一実施形態においては、前記竿ホルダーの前端面の外周縁が面取りされている。当該実施形態によれば、竿ホルダーの前端面によって元側の竿体の前端面や内周面を傷付けることを防ぐことができる。
【００１１】
本発明の一実施形態に係る釣り竿は、上述した本発明の様々な実施形態に係る穂先部材を備える。当該釣り竿は、穂先竿を備える。当該穂先竿の先端には、上述した本発明の様々な実施形態に係る穂先部材が装着されている。
【発明の効果】
【００１２】
本発明の実施形態によって、穂先竿を元側の竿体へ収容する際に当該元側の竿体の前端面や内周面を傷付けにくい穂先部材及び当該穂先部材を備える釣り竿を提供することができる。
【図面の簡単な説明】
【００１３】
【図１】本発明の一実施形態に係る穂先部材を示す側面図である。
【図２】図１の穂先部材を軸線ｘを通る平面で切断した断面を示す断面図である。
【図３】図２の穂先部材の先端を拡大して示す拡大断面図である。
【図４】本発明の一実施形態に係る穂先部材が装着された穂先竿を元側の竿体に収容する工程を示す模式図である。図４においては、竿体２０は、その外周面が竿体３０の内周面に継合するまで引き出された伸張位置にある。
【図５】本発明の一実施形態に係る穂先部材が装着された穂先竿を元側の竿体に収容する工程を示す模式図である。図５においては、竿体２０が途中まで竿体３０に収容されている。
【図６】本発明の一実施形態に係る穂先部材が装着された穂先竿を元側の竿体に収容する工程を示す模式図である。図６においては、竿体２０が竿体３０に完全に収容されている。
【発明を実施するための形態】
【００１４】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１５】
図１及び図２を参照して、本発明の一実施形態に係る穂先部材を説明する。図１は、本発明の一実施形態に係る穂先部材を示す側面図であり、図２は、図１の穂先部材を軸線ｘを通る平面で切断した断面を示す断面図である。図示のように、本発明の一実施形態に係る穂先部材１０は、穂先竿２０の前端（穂先側端部）に装着される。この穂先竿２０は、振出式の釣り竿において最も前側（穂先側）に設けられる竿体である。穂先竿２０は、後述するように、不使用時（例えば、運搬時や保管時）には元側にある竿体に収容され、使用時には当該元側の竿体から引き出される。穂先竿２０は、例えば繊維強化樹脂から中実の棒状に形成される。穂先竿２０は、後側に向かって拡径するように形成される。
【００１６】
図１の穂先部材１０及び穂先竿２０は、紙面に向かって右が釣り竿の穂先側で、紙面に向かって左が釣り竿の竿尻側となるように描かれている。本明細書においては、穂先部材１０及び穂先竿２０の方向について言及する場合には、穂先側（つまり、図１の右側）を「前」あるいは「先」といい、竿尻側（つまり、図１の左側）を「後」あるいは「元」という。この用法に従えば、穂先竿２０を収容する元側の竿体は、釣り竿の使用時において当該穂先竿よりも後側に配置される竿体を意味する。
【００１７】
本発明の一実施形態に係る穂先部材１０は、図示のとおり、釣り糸が結びつけられる小径部１０ａと、この小径部１０ａの後端に設けられた竿ホルダー１０ｂと、小径部１０ａの前端に設けられたカラー１０ｃと、を有する。穂先部材１０は、金属材料又は非金属材料から形成される。穂先部材１０を形成するための金属材料として、例えば、ステンレス、アルミニウム、チタン、又はこれらの合金が用いられ得る。穂先部材１０を形成するための非金属材料として、例えば、繊維強化樹脂を用いることができる。穂先部材１０は、金型成型によりその全体を一体成型してもよいし、別個に製作された複数の部品を接合することで作製してもよい。例えば、穂先部材１０は、小径部１０ａと竿ホルダー１０ｂとを別体の部品として製作し、この小径部１０ａに相当する部品を竿ホルダー１０ｂに相当する部品に取り付けても良い。このとき、小径部１０ａは、竿ホルダー１０ｂに対して接着されてもよいし、竿ホルダー１０ｂにその軸線周りに回転可能に支持されるように取り付けられてもよい。小径部１０ａに相当する部品が竿ホルダー１０ｂに相当する部品に回転可能に支持されている穂先部材の例は、特開２００８−２７８８４１号公報に開示されている（図２参照）。穂先部材１０は、その全体を同一の材料から形成してもよいし、各構成要素を互いと異なる材料から形成してもよい。例えば、小径部１０ａ及びカラー１０ｃを金属材料から形成する一方、竿ホルダー１０ｂを繊維強化樹脂から形成してもよい。
【００１８】
竿ホルダー１０ｂは、後側が開口し前側が閉塞された筒状に形成される。竿ホルダー１０ｂは、この後側の開口部に、穂先竿２０の先端を受け入れる。このように、穂先部材１０は、竿ホルダー１０ｂを介して穂先竿２０に装着される。竿ホルダー１０ｂは、その外周面が図示のように前側に向かって拡径するように形成されてもよい。竿ホルダー１０ｂは、その全長にわたってほぼ同一の外形を有するように構成されてもよい。
【００１９】
小径部１０ａは、少なくともその前端の径がカラー１０ｃの径よりも小さくなるように形成される。本発明の一実施形態において、小径部１０ａは、その全長にわたって竿ホルダー１０ｂ（特にその前端）の径よりも小さな径を有するように形成される。
【００２０】
本発明の一実施形態において、カラー１０ｃは、中心軸ｘを通る平面で切断したときに四隅が面取りされた長方形を有するように形成される。本発明の一実施形態において、カラー１０ｃは、竿ホルダー１０ｂの前端の径よりも小さな径を有するように形成される。カラー１０ｃの径が軸方向において変化する場合には、カラー１０ｃは、その径の最大値が竿ホルダー１０ｂの前端の径よりも小さくなるように形成される。カラー１０ｃの形状は、本発明の趣旨を逸脱しない限り任意に変更することができる。
【００２１】
このように構成された穂先部材１０においては、小径部１０ａの外周面と、竿ホルダー１０ｂの前端面１０ｄとカラー１０ｃの後端面１０ｅとにより、環状の溝１０ｆが画定される。小径部１０ａの外周面に結びつけられた釣り糸Ｔの移動は、この溝１０ｆ内に制約される。例えば、小径部１０ａの外周面に結びつけられた釣り糸Ｔが前方へ引っ張られても、カラー１０ｃの後端面１０ｅによって釣り糸Ｔの当該後端面１０ｅより前方への移動は規制される。
【００２２】
本発明の一実施形態において、竿ホルダーの１０ｇの前端面１０ｄの外周縁は面取りされる。これにより、竿ホルダーの１０ｇの前端面１０ｄの外周縁には、湾曲部１０ｇが形成される。
【００２３】
次に、図３を参照して、小径部１０ａ、竿ホルダー１０ｂ、及びカラー１０ｃの寸法について説明する。図３に示すとおり、本発明の一実施形態に係る穂先部材１０、小径部１０ａの後端の径ｒ１が竿ホルダー１０ｂの前端の径ｒ４よりも小さくなるように構成される。竿ホルダー１０ｂの前端の径ｒ４は、竿ホルダー１０ｂの前端面１０ｄの外周縁に湾曲部１０ｇが形成されている場合には、図３に示すように、竿ホルダー１０ｂの外周面が図３の断面視において直線状である直線部１０ｈと当該湾曲部１０ｇとの境界における竿ホルダー１０ｂの径を意味してもよい。つまり、竿ホルダー１０ｂの前端面１０ｄに湾曲部１０ｇが形成されている場合には、竿ホルダー１０ｂの外周面が断面視で直線状の部分の前端における径を竿ホルダー１０ｂの前端の径ｒ４とすることができる。
【００２４】
また、本発明の一実施形態に係る穂先部材１０は、小径部１０ａの前端の径ｒ２がカラー１０ｃの径ｒ３よりも小さくなっている。カラー１０ｃの径が軸方向において変化する場合には、カラー１０ｃの径ｒ３は当該カラー１０ｃの径の最大値としてもよい。
【００２５】
本発明の一実施形態においては、溝１０ｆの前端における深さ（つまり、ｒ３−ｒ２）が使用される釣り糸Ｔの直径の１．５倍以上、２倍以上、２．５倍以上、３．０倍以上、３．５倍以上、４．０倍以上、４．５倍以上、又は５．０倍以上となるように、穂先部材１０が形成される。釣り糸Ｔは前方から抜けやすいため、溝１０ｆの前端における深さを釣り糸Ｔの直径と比べて深く形成しておくことにより、釣り糸Ｔをより確実に抜け止めすることができる。
【００２６】
本発明の一実施形態に係る穂先部材１０は、小径部１０ａが前方に向かって縮径するように（つまり、ｒ２＜ｒ１となるように）構成される。これにより、小径部１０ａの外周面とカラー１０ｃの後端面１０ｅとが鋭角になるので、釣り糸Ｔが当該小径部１０ａの外周面とカラー１０ｃの後端面１０ｅとの間に保持されやすくなる。
【００２７】
本発明の一実施形態に係る穂先部材１０は、カラー１０ｃの径ｒ３が竿ホルダー１０ｂの前端の径ｒ４よりも小さくなるように形成される。これにより、カラー１０ｃの外周面は、竿ホルダー１０ｂの外周面よりも径方向において後退した位置に配置されるので、穂先竿２０を元側の竿体に収容する場合に、カラー１０ｃが当該元側の竿体の前端面や内周面を傷付けることを防止できる。
【００２８】
本発明の一実施形態に係る穂先部材１０は、小径部１０ａの後端の径ｒ１と前端の径ｒ２との差（ｒ１−ｒ２）が、竿ホルダー１０ｂの前端の径ｒ４とカラーの径ｒ３との差（ｒ４−ｒ３）以上となるように構成される。当該実施形態においては、カラー１０ｃの径ｒ３を竿ホルダー１０ｂの前端の径ｒ４より小さくしても、そのカラー１０ｃの竿ホルダー１０ｂからの後退幅よりも小径部１０ａの軸方向における縮径幅（すなわち、ｒ１−ｒ２）が大きくなるため、小径部１０ａの前端において溝１０ｆの深さを十分に確保することができる。換言すれば、カラー１０ｃの外周面は、竿ホルダー１０ｂの外周面よりも（ｒ４−ｒ３）だけ径方向において後退しているが、この後退幅よりも小径部１０ａが前方に向かって縮径している縮径幅（ｒ１−ｒ２）の方が大きいため、溝１０ｆは小径部１０ａの前端において十分な深さを有している。
【００２９】
次に、図４ないし図６を参照して、本発明の一実施形態に係る穂先部材１０が装着された穂先竿を元側の竿体に収容する工程を説明する。図４ないし図６には、穂先部材１０が装着された穂先竿２０に加えて、この穂先竿２０を収容する元側竿体３０が示されている。元側竿体３０は、前側に向かって若干縮径するほぼ円筒形状に形成される。これにより、不使用時に穂先竿２０をその内部に収容することができる。使用時に穂先竿２０が竿体３０の内部から伸張位置まで引き出されると、元側竿体３０の先端が穂先竿２０の後端と継合する。元側竿体３０は、使用時に穂先から数えて２番目に位置するので、２番竿と呼ばれることもある。
【００３０】
図４は、穂先竿２０が伸張位置まで引き出されたときの穂先竿２０及び元側竿体３０を示している。穂先竿２０は、使用時に、図４の伸張位置まで引き出される。この伸張位置においては、穂先竿２０が節落ちしないように、穂先竿２０の後端と元側竿体３０の前端とが継合している。
【００３１】
釣り竿の不使用時には、穂先竿２０は元側竿体３０の内部に収容される。穂先竿２０を元側竿体３０に収容するために、釣り人はまず穂先竿２０を握って元側竿体の後側に向かって押し込む。これにより、図５に示すように、穂先竿２０の後端と元側竿体３０の前端との継合が解除され、穂先竿２０が元側竿体の奥に向かって移動する。
【００３２】
次に、元側竿体３０との継合が解除された穂先竿２０を当該元側竿体３０の奥に向かって押し込む。穂先竿２０は、図６に示すように、その先端に装着されている穂先部材１０が元側竿体３０の内部に収容されるまで（つまり、穂先部材１０の前端が元側竿体３０の前端よりも後方に位置するまで）、元側竿体３０の奥に押し込まれる。
【００３３】
元側竿体３０は、上述したように前側に向かって縮径しているので、その内周面は、当該元側竿体３０の中心軸方向に対して傾いている。穂先竿２０を元側竿体３０に収容する際には、元側竿体３０の内周面に沿って穂先竿２０が押し込まれるので、穂先竿２０が径方向に突出する部材を有していると、かかる部材により元側竿体３０の前端面や内周面が傷付けられてしまう。穂先竿２０はその先端に穂先部材１０を備えているが、穂先部材１０は、カラー１０ｃの径ｒ３が竿ホルダー１０ｂの前端の径ｒ４よりも小径となるように形成されているので、穂先竿２０を元側竿体３０に収容するときにカラー１０ｃの外周面が当該元側竿体３０の前端面や内周面に衝突しにくくなっている。これにより、元側竿体３０の破損を抑制することができる。
【００３４】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３５】
１０  穂先部材
１０ａ  小径部
１０ｂ  竿ホルダー
１０ｃ  カラー
２０  穂先竿
３０  元側竿体
【図１】
0006640029.tif 000002
【図２】
0006640029.tif 000003
【図３】
0006640029.tif 000004
【図４】
0006640029.tif 000005
【図５】
0006640029.tif 000006
【図６】
0006640029.tif 000007